(57)【要約】      （修正有）【課題】メガネに取り付けて使用できて取りはずす必要がなく、簡単な構造の捲り上げ式サングラスを提供する。【解決手段】捲り上げ式サングラスのグラスレンズ１は、、複数の第１連結孔１０を有する。挟み装置２は、グラスレンズ１の第１連結孔１０に連結され、固定具２０および連結部２１を有する。固定具２０は、複数の第２連結孔２００とＵ字型ピボット２０１を有する。連結部２１は、連結本体２１０と挟み部２１１とで構成される。連結本体２１０は、連結腕２１００と、はめ溝２１０１と、ピボット孔２１０２と、支え末端２１０３を具備する。挟み部２１１は、はじき片２１１０と、ピボット２１１１と、スプリング２１１２と、で構成される。はじき片２１１０の一端には、複数の挟み爪２１１３が形成される。これにより、サングラスを使用しない時にもメガネから取りはずす必要がない。【選択図】図１
0003175958.tif 000002
【実用新案登録請求の範囲】
【請求項１】
光線を遮ることができ、複数の第１連結孔を持つ２枚のサングラスレンズと、
前記サングラスレンズの前記第１連結孔に連結され、固定具および連結部を有する挟み装置と、
を備え、
前記固定具は、複数の第２連結孔とＵ字型ピボットを有し、
前記連結部は、連結本体と挟み部とで構成され、
前記連結本体は、連結腕と、はめ溝と、ピボット孔と、支え末端を具備し、
前記挟み部は、はじき片と、ピボットと、スプリングと、で構成され、
前記はじき片の一端には、複数の挟み爪が形成されることを特徴とする捲り上げ式サングラス。
【請求項２】
前記Ｕ字型ピボットは、固定面を有し、
前記スプリングは、前記固定面に固定されることを特徴とする請求項１記載の捲り上げ式サングラス。
【請求項３】
請求項１記載の捲り上げ式サングラスにおいて、２枚の前記サングラスレンズに代えて、１枚の前記サングラスレンズを備えることを特徴とする捲り上げ式サングラス。
【考案の詳細な説明】
【技術分野】
【０００１】
本案は、一般のメガネに取り付ける構造が簡単で操作が容易な捲り上げ式のサングラスに関する。
【背景技術】
【０００２】
一般的なメガネ（以下単に「メガネ」という。）に取り付けるサングラスは、例えば特許文献１で公表されたブリッジに取り上げるサングラスがある。特許文献１では、使用する時にメガネに取り付けるが、使用しない時は、必ずメガネから取りはずさなければならないので不便である。また特許文献２で公表された簡単に収納できるサングラスも、使用する時にメガネに取り付けるサングラスで、やはり使用しない時は必ずメガネから取りはずさなければならない不便がある。そのほか、特許文献３で公表された捲り上げ式サングラスは、メガネに常に取り付けて使用するが、使用しない時はメガネから取りはずす必要がなく、その上方に捲り上げて置けばよい便利がある。しかしながら、その構造が複雑で、組み合せが不便であるという欠点がある。
【先行技術文献】
【特許文献】
【０００３】
【特許文献１】台湾特許第Ｍ２５９１８０号
【特許文献２】台湾特許第１２８０８２号
【特許文献３】台湾特許第Ｍ４１１５８２号
【考案の概要】
【考案が解決しようとする課題】
【０００４】
上述の従来のメガネに取り付けるサングラスの欠点、即ち使用しない時はサングラスをメガネから必ず取りはずす欠点を解消し、複雑な構造をより簡単に設計することを本案の課題とする。
【課題を解決するための手段】
【０００５】
メガネに取り付ける捲り上げ式サングラスをメガネに取り付けて使用でき、使用しない時は取りはずす必要がなく、ただ取り付けたままで上方に捲り上げておけばよいサングラスを作るほか、構造をより簡単にする手段である本考案の捲り上げ式サングラスは、２枚のサングラスレンズを挟み装置で固定する。挟み装置は、固定具を有し、２枚のサングラスレンズをねじで固定する。
挟み装置は、Ｕ字型ピボットと連結腕と挟み部とで構成される。連結腕は、上部に形成される横向きはめ溝と、当該はめ溝の下方に横向きのピボット孔を形成しておく。Ｕ字型ピボットの横棒は、連結腕のはめ溝にはまって旋回できる。Ｕ字型ピボットは、連結腕に対し、所定の角度に旋回できるようにする。また、挟み部は、上方にはじき片が形成され、中央部にピボットが横向きに形成され、下方に複数の挟み爪が形成される。ピボットは、連結腕のピボット孔にはめられる。挟み部は、ピボットを軸にして旋回できる。挟み爪は、メガネのブリッジを挟んで安定する。これにより、サングラス全体がメガネのブリッジを軸として所定の角度に旋回できる。
そのほか、スプリングを有する。スプリングの一端ははじき片に固定され、他端はＵ字型ピボットの横棒の固定面に固定される。サングラスレンズを使用している状態から使用しない状態に旋回させるときの動作に弾性を持たせるほか、サングラスレンズを使用するときの位置と使用しないときの位置で、それぞれの位置に安定して維持出来る様にする。
【０００６】
これにより、本考案の捲り上げ式サングラスは、挟み部の挟み爪でメガネのブリッジに旋回できる様に取り付けられる。また、挟み装置のＵ字型ピボットと連結腕と挟み部との組み合せにより、サングラスレンズが使用する位置から使用しない位置に旋回させる、すなわち捲り上げることができて、サングラスを使用しない時はメガネから取りはずす必要がないから使用上便利である。さらにまた、使用する時は、サングラスの位置を捲り下げればよい。
【図面の簡単な説明】
【０００７】
【図１】本考案の第１実施形態による捲り上げ式サングラスの分解斜視図である。
【図２】本考案の第１実施形態による捲り上げ式サングラスの斜視図である。
【図３】本考案の第１実施形態による捲り上げ式サングラスをメガネに取り付けて使用する時の斜視図である。
【図４】図３の断面図である。
【図５】本考案の第１実施形態による捲り上げ式サングラスをメガネに取り付けて使用する時、捲り上げている状態の斜視図である。
【図６】図５の断面図である。
【図７】本案の第２実施形態による捲り上げ式サングラスの分解斜視図である。
【図８】本案の第２実施形態による捲り上げ式サングラスの斜視図である。
【考案を実施するための形態】
【０００８】
以下、本考案による実施の形態を図面に基づいて説明する。なお、以下、複数の実施形態において、実質的に同一の構成には同一の符号を付して説明を省略する。
（第１実施形態）
本考案の「メガネに取り付ける捲り上げ式サングラス」は、図１〜図６に示す様に、２枚のサングラスレンズとしてのグラスレンズ１と挟み装置２とで構成される。グラスレンズ１は、強い光線を遮ることができ、各複数の第１連結孔１０を持つ。挟み装置２は、グラスレンズ１の連結孔１０に連結される。挟み装置２は、固定具２０と連結部２１とで形成される。固定具２０は、左右両端に複数の連結孔２００を有し、更にＵ字型ピボット２０１をねじ付けている。Ｕ字型ピボット２０１は、横棒に固定面２０１０を有する。連結部２１は、連結本体２１０および連結腕２１００を有する。連結腕２１００は、はめ溝２１とピボット孔２１０２と支え末端２１０３とを有する。更に、はじき片２１１０は、一末端に挟み爪２１１３が形成される。支え末端２１０３は、軟質材料で形成される。挟み爪２１１３は、メガネのブリッジを挟み、挟み装置２全体がメガネのブリッジを軸にし、所定の角度に旋回できる。
【０００９】
本実施形態の捲り上げ式サングラスを組み合せる時は図２を参考にし、まず、固定具２０の第２連結孔２００をグラスレンズ１の第１連結孔１０に合せてからねじＮをねじ付けて、２枚のグラスレンズ１を固定具２０で連結固定し一体とする。更に、固定具２０のＵ字型ピボット２０１を挟み装置２の連結本体２１０のはめ溝２１０１の中にはめこむ。次に、挟み部２１１のはじき片２１１０およびスプリング２１１２を連結腕２１００の中にはめ入れておく。それから、ピボット２１１１をピボット孔２１０２中にさし入れて、はじき片２１１０およびスプリング２１１２を通す。このとき、スプリング２１１２の一端は、Ｕ字型ピボット２０１の固定面２０１０を圧し付けており、他端は、はじき片２１１０を圧し付けている。挟み爪２１１３は、連結腕２１００の上を圧し付けている。
【００１０】
本実施形態の捲り上げ式サングラスを使用するときは、図２を参考にし、最初に挟み装置２のはじき片２１１０を下方に圧して挟み爪２１１３を開かせて、挟み爪２１１３とＵ字型ピボット２０１との間に空間を形成してから、図３に示すメガネＡのブリッジＡ１を形成された空間の中に挟ませ、はじき片２１１０を放すと、メガネＡのブリッジＡ１を挟んだ状態になる。挟み爪２１１３は、スプリング２１１２の弾性作用によって所定の位置に戻って固定され、サングラスの各グラスレンズ１は、丁度メガネＡの各レンズの前に位置して安定し、本実施形態の捲り上げ式サングラスが使用できる状態になる。
【００１１】
次に、本実施形態のサングラスがメガネＡに取り付けられ、図３および図に示す状態で使用されたあと、使用しないときは、グラスレンズ１をメガネＡから取りはずす必要はなく、図３および図４が示す状態のサングラスの２つのグラスレンズ１および挟み装置２を、一緒に上方に旋回させて捲り上げればよい。その為には、両指でグラスレンズ１の上下外周をつかんで上方に旋回させる、つまり捲り上げると、Ｕ字型ピボット２０１と連結腕２１００との相互連結回転作用により、両グラスレンズ１と挟み装置２とは、図３およびと図４が示す位置から図５および図６が示す位置に移動する。スプリング２１１２の弾性作用によりＵ字型ピボット２０１が旋回し、スプリング２１１２がＵ字型ピボット２０１の固定面２０１０を圧し付ければ、両グラスレンズ１および挟み装置２は、図５および図６に示す位置で停止する。これにより、サングラスを使用しないときでも、メガネＡから取りはずす必要がないので便利である。
【００１２】
（第２実施形態）
次に、本考案の第２実施形態による捲り上げ式サングラス図７および図８に示す。第１実施形態と異なる点は、グラスレンズ１は、第１実施形態の２枚を１枚にしている。更に、第１実施形態の固定具２０を使用しないことにある。第２実施形態では、第１実施形態と同じくメガネＡに取り付けて使用できるし、又不使用しない時はメガネから取りはずす必要もない。
【００１３】
本考案の上記２つの実施形態による捲り上げ式サングラスは次の様な効果がある。捲り上げ式サングラスは、構造が簡単で組み合せが容易である。また、挟み装置２の挟み爪２１１３は、軟質材料で作っているので、メガネのレンズを圧してもレンズに傷害を与えない。さらに、挟み装置２のＵ字型ピボット２０１は、固定面２０１０を有し、スプリング２１１２を固定する効果がある。
【符号の説明】
【００１４】
１・・・・・・グラスレンズ
１０・・・・・第１連結孔
２・・・・・・挟み装置
２０・・・・・固定具
２００・・・・第２連結孔
２０１・・・・Ｕ字型ピボット
２０１０・・・固定面
２１・・・・・連結部
２１０・・・・連結本体
２１００・・・連結腕
２１０１・・・はめ溝
２１０２・・・ピボット孔
２１０３・・・支え末端
２１１・・・・挟み部
２１１０・・・はじき片
２１１１・・・ピボット
２１１２・・・スプリング
２１１３・・・挟み爪
Ｎ・・・・・・ねじ
Ａ・・・・・・メガネ
Ａ１・・・・・ブリッジ
【図１】
0003175958.tif 000003
【図２】
0003175958.tif 000004
【図３】
0003175958.tif 000005
【図４】
0003175958.tif 000006
【図５】
0003175958.tif 000007
【図６】
0003175958.tif 000008
【図７】
0003175958.tif 000009
【図８】
0003175958.tif 000010